(57)【特許請求の範囲】
【請求項１】
液晶表示パネルのソース線を駆動するドライバであって、
画像データに示された階調値に対応する電圧に前記ソース線を駆動するように構成された駆動部と、
前記ソース線をプリチャージするように構成されたプリチャージ部
とを具備し、
温度センサによって測定された測定温度が第１温度範囲にある場合、各水平同期期間の第１期間において、前記プリチャージ部が前記画像データに示された階調値に応じて前記ソース線をプリチャージし、
前記測定温度が前記第１温度範囲より低い第２温度範囲にある場合、各水平同期期間の前記第１期間において、前記プリチャージ部が前記ソース線のプリチャージを行う動作又は前記駆動部が前記画像データに示された階調値に対応する電圧に前記ソース線を駆動する動作が前記画像データに示された階調値に応じて選択的に実行され、
各水平同期期間の前記第１期間に続く第２期間において、前記駆動部が前記ソース線を前記画像データに示された階調値に対応する電圧に駆動する
ドライバ。
【請求項２】
請求項１に記載のドライバであって、
前記測定温度が第２温度範囲にある場合、各水平同期期間の前記第１期間において、前記プリチャージ部によって前記ソース線のプリチャージを行う動作又は前記駆動部によって前記画像データに示された階調値に対応する駆動電圧に前記ソース線を駆動する動作が、前記画像データの最上位ビットの値に応じて選択的に実行される
ドライバ。
【請求項３】
請求項１又は２に記載のドライバであって、
更に、前記ソース線を前記液晶表示パネルの他のソース線と電気的に接続するイコライズ動作を行うように構成されたイコライズ部を具備し、
各水平同期期間の前記第１期間より前の第３期間において前記イコライズ部が前記イコライズ動作を行う
ドライバ。
【請求項４】
各水平同期期間の第１期間において、液晶表示装置に設けられた温度測定手段によって測定された測定温度が第１温度範囲にある場合に、前記液晶表示装置の液晶表示パネルのソース線を画像データに示された階調値に応じてプリチャージするステップと、
各水平同期期間の前記第１期間において、前記測定温度が前記第１温度範囲よりも低い第２温度範囲にある場合に、前記ソース線をプリチャージする動作、又は、前記ソース線を前記画像データに示された階調値に対応する電圧に駆動する動作を、前記画像データに示された階調値に応じて選択的に行うステップと、
各水平同期期間の前記第１期間に続く第２期間において、前記ソース線を前記画像データに示された階調値に対応する電圧に駆動するステップ
とを含む
液晶表示パネルの駆動方法。
【発明の詳細な説明】
【技術分野】
【０００１】
本発明は、液晶表示装置、ドライバ、及び、液晶表示パネルの駆動方法に関し、特に、液晶表示パネルの駆動動作の制御に関する。
【背景技術】
【０００２】
液晶表示パネルに画像を表示する液晶表示装置は、例えば車載用途の液晶表示装置のように、その仕様において広い温度範囲での動作を保証することが求められることがある。広い温度範囲での動作を保証するためには、低温でも表示品位を保つ必要がある。
【０００３】
その一方で、液晶表示装置は、消費電力の低減が求められることがある。消費電力の低減は、電池のような電力蓄積デバイスを電源として用いるシステムに液晶表示装置を組み込む場合に特に重要である。
【０００４】
消費電力の低減のための一つの手法として、画像データ（各画素の階調を指示するデータ）の値に応じてソース線のプリチャージを制御する技術が知られている。この技術では、最も典型的には、画像データの最上位ビットの値に応じてプリチャージの実行、不実行が選択される。例えば、各画素について２５６階調表示を行う場合、画像データに示されている階調値が“１２７”以下である場合（この場合、画像データの最上位ビットは“０”である）、プリチャージは実行されず、階調値が“１２８”以上である場合（この場合、画像データの最上位ビットは“１”である）、プリチャージが実行される。また、画像データに示された階調値に応じてプリチャージレベルを制御する技術も知られており、このような技術は、例えば、特開２０１０−１０２１４６号公報に開示されている。
【０００５】
しかしながら、発明者の検討によれば、画像データに示された階調値に応じてソース線のプリチャージを制御する技術は、液晶表示装置の低温での表示品位を劣化させることがある。
【先行技術文献】
【特許文献】
【０００６】
【特許文献１】特開２０１０−１０２１４６号公報
【発明の概要】
【発明が解決しようとする課題】
【０００７】
したがって、本発明の目的は、液晶表示装置の低温での表示品位の劣化を抑制するための技術を提供することにある。本発明の他の目的、新規な特徴は、以下の開示から当業者には理解されよう。
【課題を解決するための手段】
【０００８】
本発明の一の観点では、液晶表示パネルのソース線を駆動するドライバが、温度センサと、画像データに示された階調値に対応する電圧にソース線を駆動するように構成された駆動部と、ソース線をプリチャージするように構成されたプリチャージ部とを具備する。温度センサによって測定された測定温度が第１温度範囲にある場合、プリチャージ部は、画像データに示された階調値に応じてソース線をプリチャージする動作を行う。一方、測定温度が第１温度範囲より低い第２温度範囲にある場合、プリチャージ部は、画像データに示された階調値に無関係にソース線のプリチャージを実行し、又は、画像データに示された階調値に無関係にソース線のプリチャージを実行しない。
【０００９】
本発明の他の観点では、液晶表示パネルのソース線を駆動するドライバが、温度センサと、画像データに応答してソース線を駆動する駆動部と、ソース線をプリチャージするように構成されたプリチャージ部と、ソース線を液晶表示パネルの他のソース線と電気的に接続するイコライズ動作を行うイコライズ部とを具備する。温度センサによって測定された測定温度が第１温度範囲にある場合、各水平同期期間の第１期間においてはイコライズ部がイコライズ動作を行い、各水平同期期間の第１期間に続く第２期間においてはプリチャージ部が画像データに示された階調値に応じてソース線をプリチャージし、各水平同期期間の第２期間に続く第３期間において、駆動部がソース線を画像データに示された階調値に対応する駆動電圧に駆動する。測定温度が第１温度範囲より低い第２温度範囲にある場合、各水平同期期間の第１期間においてはイコライズ部がイコライズ動作を行い、各水平同期期間の第２期間においてはプリチャージ部がソース線のプリチャージを行う動作又は駆動部が画像データに示された階調値に対応する電圧にソース線を駆動する動作が画像データに示された階調値に応じて選択的に実行され、各水平同期期間の第３期間においては駆動部がソース線を画像データに示された階調値に対応する電圧に駆動する。
【００１０】
このようなドライバは、液晶表示装置に好適に適用される。
【００１１】
本発明の更に他の観点では、液晶表示パネルと温度測定手段を備える液晶表示装置における液晶表示パネルの駆動方法が提供される。当該駆動方法は、温度測定手段によって測定された測定温度に応じて液晶表示パネルのソース線をプリチャージするステップと、画像データに示された階調値に対応する電圧にソース線を駆動するステップとを具備する。測定温度に応じてソース線をプリチャージするステップでは、測定温度が第１温度範囲にある場合、画像データに示された階調値に応じてソース線をプリチャージする動作が行われ、測定温度が第１温度範囲より低い第２温度範囲にある場合、画像データに示された階調値に無関係にソース線のプリチャージが実行され、又は、画像データに示された階調値に無関係にソース線のプリチャージが実行されない。
【００１２】
本発明の更に他の観点では、液晶表示パネルと温度測定手段を備える液晶表示装置における液晶表示パネルの他の駆動方法が提供される。当該駆動方法は、各水平同期期間の第１期間において液晶表示パネルのソース線を他のソース線と電気的に接続するイコライズ動作を行うステップと、各水平同期期間の第１期間に続く第２期間において、温度測定手段によって測定された測定温度に応じて、液晶表示パネルのソース線をプリチャージし、又は、ソース線を画像データに示された階調値に対応する電圧に駆動する動作を行うステップと、各水平同期期間の第２期間に続く第３期間において、ソース線を画像データに示された階調値に対応する電圧に駆動するステップとを具備する。測定温度が第１温度範囲にある場合、各水平同期期間の第２期間において、ソース線を画像データに示された階調値に応じてプリチャージする動作が行われる。測定温度が第１温度範囲よりも低い第２温度範囲にある場合、各水平同期期間の第２期間において、ソース線のプリチャージを行う動作又は画像データに示された階調値に対応する電圧にソース線を駆動する動作を、画像データに示された階調値に応じて選択的に実行する。
【発明の効果】
【００１３】
本発明によれば、液晶表示装置の低温での表示品位の劣化を抑制することができる。
【図面の簡単な説明】
【００１４】
【図１】画像データの最上位ビットの値に応じてプリチャージの実行、不実行を選択する場合の、ある水平同期期間（以下、第ｋ水平同期期間という。）におけるソース線の駆動動作の一例を示すタイミングチャートである。
【図２】図１に図示されている駆動動作において左から右に向けて階調値が０から２５５に逐次に変化するような画像を液晶表示パネルに表示した場合における、画像の実際の見え方の例を示している。
【図３】一実施形態における液晶表示装置の構成を示すブロック図である。
【図４】本実施形態におけるソースドライバ回路の構成の一例を示す回路図である。
【図５Ａ】本実施形態における液晶表示パネルの駆動動作の一例を示す概念図である。
【図５Ｂ】本実施形態における液晶表示パネルの駆動動作の他の例を示す概念図である。
【図６Ａ】実施例１におけるソース線の駆動動作を示すタイミングチャートである。
【図６Ｂ】実施例１におけるソース線の駆動動作を示すタイミングチャートである。
【図７Ａ】実施例２におけるソース線の駆動動作を示すタイミングチャートである。
【図７Ｂ】実施例２におけるソース線の駆動動作を示すタイミングチャートである。
【図８Ａ】実施例３におけるソース線の駆動動作を示すタイミングチャートである。
【図８Ｂ】実施例３におけるソース線の駆動動作を示すタイミングチャートである。
【図９Ａ】実施例４におけるソース線の駆動動作を示すタイミングチャートである。
【図９Ｂ】実施例４におけるソース線の駆動動作を示すタイミングチャートである。
【発明を実施するための形態】
【００１５】
以下では、本実施形態の液晶表示装置、ドライバ、及び、液晶表示パネルの駆動方法の技術的意義の理解を容易にするために、まず、液晶表示パネルの駆動において、画像データに示された階調値に応じてソース線のプリチャージを制御する技術を採用した場合に生じ得る問題について説明する。
【００１６】
図１は、画像データに示された階調値に応じてソース線のプリチャージを制御する技術を採用した場合、より具体的には、画像データの最上位ビットの値に応じてプリチャージの実行、不実行を選択する場合の、ある水平同期期間（以下、第ｋ水平同期期間という。）におけるソース線の駆動動作の一例を示すタイミングチャートである。なお、図１は、直前の水平同期期間（第ｋ−１水平同期期間）において負電圧に駆動されたソース線を第ｋ水平同期期間において正電圧に駆動する場合の動作を示している。また、各画素について２５５階調表示が行われるとする。この場合、各画素の画像データは、８ビットであり、画像データに示されている階調値が０〜１２７の場合に最上位ビット（ＭＳＢ：most significant bit）が“０”、１２８〜２５５の場合に最上位ビット“１”に設定されることになる。
【００１７】
図１に図示された駆動動作では、画像データの最上位ビットが“０”である場合にはプリチャージは行われず、画像データの最上位ビットが“１”である場合にプリチャージが行われる。例えば、図１の上図は、第ｋ水平同期期間における画素の階調値が“１２７”である場合のソース線の電圧波形を示しており、下図は、第ｋ水平同期期間における画素の階調値が“１２８”である場合のソース線の電圧波形を示している。
【００１８】
各水平同期期間における駆動動作においては、イコライズ期間、プリチャージ期間、駆動期間の３つの期間が設けられる。プリチャージ期間は、イコライズ期間の後に設けられ、駆動期間は、プリチャージ期間の後に設けられる。イコライズ期間では、ソース線のイコライズが行われる。一例では、液晶表示パネルのソース線が互いに電気的に接続されて同一の電位（例えば、接地電位）に設定される。図１では、ソース線のイコライズにおいてソース線が接地電位ＧＮＤに設定される場合のソース線の電圧波形を図示している。
【００１９】
イコライズ期間に続くプリチャージ期間においては、画像データの最上位ビットに応じてプリチャージが行われる。詳細には、画像データの最上位ビットが“１”である場合、プリチャージ期間においてプリチャージが行われる。図１では、ソース線が電圧ＶＣＩにプリチャージされるとしてソース線の電圧波形が図示されている。画像データの最上位ビットが“０”である場合にはプリチャージ期間においてもプリチャージは行われない。この場合、ソース線がハイインピーダンス（Ｈｉ−Ｚ）に設定される。ソース線がハイインピーダンスに設定される場合には、ソース線の電圧は基本的には変動しない。このような動作では、ソース線を高い電圧に駆動すべき場合にのみ選択的にプリチャージが行われることになり、消費電力を有効に低減することができる。
【００２０】
プリチャージ期間に続く駆動期間では、ソース線が、階調値に対応する電圧に駆動される。図１では、階調値“１２７”に対応する電圧が記号“Ｖ１２７”として図示されており、階調値“１２８”に対応する電圧が記号“Ｖ１２８”として図示されている。十分な駆動能力を有する出力回路でソース線を駆動すれば、当該画素のＴＦＴ（thin film transistor）がオフされるタイミングよりも十分に早いタイミングでソース線を階調値に対応する電圧に到達させることができる。
【００２１】
図１に示されている駆動方法では、液晶の反応速度が十分に速ければ、当該画素の実際の輝度（厳密には、液晶表示パネルに実際に表示される画像における当該画素の輝度）は、プリチャージの実行、不実行に関わらず、ソース線が最終的に駆動される電圧（図１の動作では、Ｖ１２７又はＶ１２８）に対応する輝度になる。従って、階調値が“１２７”である場合と階調値が“１２８”である場合とで階調値の差“１”に対応する僅かな輝度の差が生じるように当該画素が駆動されることになる。
【００２２】
しかしながら、液晶表示装置が低温で動作し、液晶の反応速度が低下する場合には、当該画素の実際の輝度は、ソース線の実効的な電圧（ソース線の電圧の時間平均）に対応する輝度になる。この結果、プリチャージの実行、不実行が切り換えられる境界の階調値の間で、当該画素の実際の輝度が大きく変化することになる。例えば、図１の例では、液晶表示装置が低温で動作する場合には、階調値が“１２８”である場合の当該画素の実際の輝度と、階調値“１２７”とである場合の当該画素の実際の輝度との間で大きな差が発生する。
【００２３】
例えば、図２は、左から右に向けて階調値が０から２５５に逐次に変化するような画像を液晶表示パネルに表示した場合における、画像の実際の見え方の例を示している。液晶表示装置が常温で動作する場合には、滑らかに輝度が変化するような画像が液晶表示パネルに表示される。一方、液晶表示装置が低温で動作する場合には、液晶表示パネルに表示される画像において、階調値が１２７である位置と階調値が１２８である位置の間で大きな輝度差が発生する。
【００２４】
この現象は、液晶表示装置が低温で動作する場合の表示品位を劣化させるため、好ましくない。以下に述べられる実施形態では、液晶表示装置の低温での表示品位の劣化を抑制するための手法が採用される。
【００２５】
図３は、一実施形態における液晶表示装置１の構成を示すブロック図である。液晶表示装置１は、液晶表示パネル２と、表示ドライバ３とを備えている。液晶表示パネル２は、行列に配置された画素と、複数のゲート線と、複数のソース線とを備えている（ただし、画素、ゲート線、ソース線は、いずれも、図３には図示されていない）。各画素は、対応するゲート線及びソース線に接続されている。表示ドライバ３は、ホスト４から受け取った画像データ及び制御信号に応答して液晶表示パネル２を駆動する。
【００２６】
表示ドライバ３は、画像データインターフェース１１、制御信号インターフェース１２と、制御部１３と、メモリ１４と、データラッチ１５と、階調電圧選択回路１６と、ソースドライバ回路１７と、ゲート制御ドライバ１８と、電源回路１９と、温度センサ２１と、レジスタ２２とを備えている。
【００２７】
画像データインターフェース１１は、ホスト４から受け取った画像データを制御部１３に転送し、制御信号インターフェース１２は、ホスト４から受け取った制御信号から生成した各種の制御データ（制御コマンド、制御パラメータ等）を制御部１３に供給する。
【００２８】
制御部１３は、制御信号インターフェース１２から受け取った制御データに応じて、表示ドライバ３の各回路を制御する。詳細には、制御部１３は、タイミングコントローラを備えており、表示ドライバ３の各回路のタイミング制御を行う。また、後に詳細に説明されるように、制御部１３は、ソースドライバ回路１７の動作、特に、ソース線のプリチャージ動作を制御する機能も有しており、制御部１３は、ソースドライバ回路１７の動作を制御するソースドライバ制御信号群ＳＣＴＲＬを生成する。ソースドライバ制御信号群ＳＣＴＲＬは、プリチャージ動作を制御するプリチャージ制御信号ＳＰＲＣ＿ＣＴＲＬを含んでいる。更に、制御部１３は、画像データインターフェース１１から受け取った画像データをメモリ１４に転送する機能も有している。
【００２９】
メモリ１４、データラッチ１５、階調電圧選択回路１６及びソースドライバ回路１７は、制御部１３から受け取った画像データに応答して液晶表示パネル２の各ソース線を駆動する駆動部を構成している。詳細には、メモリ１４は、制御部１３から受け取った画像データを一時的に保存する。一実施形態では、メモリ１４は、１フレーム画像の画像データを保存するように構成される。データラッチ１５は、メモリ１４から読み出された画像データをラッチし、階調電圧選択回路１６に転送する。一実施形態では、データラッチ１５は、液晶表示パネル２の１ラインの画素（一のゲート線に接続された画素）に対応する画像データを同時にラッチするように構成される。階調電圧選択回路１６は、データラッチ１５から受け取った画像データに対応する階調電圧を選択し、選択した階調電圧をソースドライバ回路１７に供給する。ソースドライバ回路１７には、液晶表示パネル２の各ソース線に対応する階調電圧が階調電圧選択回路１６から供給される。ソースドライバ回路１７は、液晶表示パネル２の各ソース線を、階調電圧選択回路１６から受け取った階調電圧に対応する電圧に駆動する。
【００３０】
ゲート制御ドライバ１８は、液晶表示パネル２のゲート線を駆動する。なお、液晶表示パネル２にゲート線を駆動するゲートドライバ回路が内蔵される場合（このようなゲートドライバ回路は、ＧＩＰ（gate-in-panel）回路と呼ばれることがある）、ゲート制御ドライバ１８は、該ゲートドライバ回路を制御する制御信号を液晶表示パネル２に供給してもよい。
【００３１】
電源回路１９は、外部から供給される電源電圧Ｖｃｃ及びアナログ電源電圧Ｖｓｐ、Ｖｓｎから表示ドライバ３の各回路の動作に用いられる各種の電源電圧を生成する。一実施形態では、電源回路１９は、電源電圧Ｖｃｃから生成したロジック電源電圧Ｖｄｄを制御部１３及びメモリ１４に供給する。また、電源回路１９は、アナログ電源電圧Ｖｓｐ、Ｖｓｎから生成したアナログ電源電圧ｓＶｄｄ、ｓＶｓｓを階調電圧選択回路１６及びソースドライバ回路１７に供給すると共に、アナログ電源電圧Ｖｓｐ、Ｖｓｎから生成したゲートハイ電圧ＶＧＨ、ゲートロー電圧ＶＧＬをゲート制御ドライバ１８に供給する。
【００３２】
温度センサ２１と、レジスタ２２は、制御部１３によるプリチャージ動作の制御に用いられる情報を制御部１３に供給する。詳細には、温度センサ２１は、当該温度センサ２１の温度に対応する温度データを生成し、制御部１３に供給する温度測定手段として動作する。温度センサ２１は、温度特性を有する半導体回路で形成可能である。温度センサ２１の温度は、液晶表示装置１の環境温度又は液晶表示パネル２の温度に近い温度なので、温度センサ２１によって生成される温度データは、液晶表示装置１の環境温度又は液晶表示パネル２の温度に対応する値を示すことになる。
【００３３】
レジスタ２２は、制御部１３によるプリチャージ動作の制御に用いられるプリチャージ制御データを格納する。プリチャージ制御データとは、各温度範囲において行われるべきプリチャージ動作を規定するデータである。プリチャージ制御データの内容及びプリチャージ動作の制御については、後に詳細に説明する。レジスタ２２は、プリチャージ制御データ以外の他の制御パラメータの格納にも使用されてもよい。
【００３４】
図４は、ソースドライバ回路１７の構成の一例を示す回路図であり、詳細には、ソースドライバ回路１７のうち、奇数番目のソース出力Ｓ２ｉ−１と、それに隣接する偶数番目のソース出力Ｓ２ｉを駆動する駆動回路部の構成を示している。ソース出力Ｓ２ｉ−１、Ｓ２ｉは、それぞれ、液晶表示パネル２のソース線５２ｉ−１、５２ｉに接続されており、該駆動回路部は、ソース出力Ｓ２ｉ−１、Ｓ２ｉを介してソース線５２ｉ−１、５２ｉを駆動することになる。
【００３５】
図４に図示されているソースドライバ回路１７は、水平方向（ゲート線が延伸する方向）に隣接する画素を反対の極性の電圧で駆動するように構成されている。即ち、ソースドライバ回路１７は、ソース出力Ｓ２ｉ−１、Ｓ２ｉの一方を正電圧に駆動し、他方を負電圧に駆動するように構成されている。このような構成は、ドット反転駆動を行う場合に好適である。以下、図４のソースドライバ回路１７の構成について詳細に説明する。
【００３６】
ソースドライバ回路１７は、出力回路３１２ｉ−１、３１２ｉと、ストレートスイッチ３２２ｉ−１、３２２ｉと、クロススイッチ３３２ｉ−１、３３２ｉと、イコライズスイッチ３４２ｉ−１、３４２ｉと、プリチャージスイッチ３５２ｉ−１、３５２ｉと、制御回路３６２ｉ−１、３６２ｉとを備えている。
【００３７】
出力回路３１２ｉ−１は、階調電圧選択回路１６から受け取った階調電圧Ｖ２ｉ−１に対応する電圧（最も典型的には、同一の電圧）を出力し、出力回路３１２ｉは、階調電圧選択回路１６から受け取った階調電圧Ｖ２ｉに対応する電圧（最も典型的には、同一の電圧）を出力する。出力回路３１２ｉ−１の出力は、ノードＮ２ｉ−１に接続され、出力回路３１２ｉの出力は、ノードＮ２ｉに接続される。
【００３８】
ここで、出力回路３１２ｉ−１は、正電圧を出力するように構成され、出力回路３１２ｉは、負電圧を出力するように構成される。階調電圧選択回路１６においては、階調電圧Ｖ２ｉ−１は、ソース出力Ｓ２ｉ−１、Ｓ２ｉにそれぞれ接続されたソース線５２ｉ−１、５２ｉのうち、正電圧に駆動されるソース線を駆動すべき電圧に対応するように選択され、階調電圧Ｖ２ｉは、ソース線５２ｉ−１、５２ｉのうち、負電圧に駆動されるソース線を駆動すべき電圧に対応するように選択される。
【００３９】
ストレートスイッチ３２２ｉ−１、３２２ｉとクロススイッチ３３２ｉ−１、３３２ｉとは、ノードＮ２ｉ−１、Ｎ２ｉとソース出力Ｓ２ｉ−１、Ｓ２ｉの間の接続関係を切り替えるためのスイッチ部を構成している。詳細には、ストレートスイッチ３２２ｉ−１は、ノードＮ２ｉ−１とソース出力Ｓ２ｉ−１の間に接続され、ストレートスイッチ３２２ｉは、ノードＮ２ｉとソース出力Ｓ２ｉの間に接続されている。ストレートスイッチ３２２ｉ−１、３２２ｉは、ソース線５２ｉ−１（及びそれに接続されたソース出力Ｓ２ｉ−１）を正電圧に駆動し、ソース線５２ｉ（及びそれに接続されたソース出力Ｓ２ｉ）を負電圧に駆動する場合にオンされる。
【００４０】
一方、クロススイッチ３３２ｉ−１は、ノードＮ２ｉ−１とソース出力Ｓ２ｉの間に接続され、クロススイッチ３３２ｉは、ノードＮ２ｉとソース出力Ｓ２ｉ−１の間に接続されている。クロススイッチ３３２ｉ−１、３３２ｉは、ソース出力Ｓ２ｉ及びそれに接続されたソース線５２ｉ−１を負電圧に駆動し、ソース出力Ｓ２ｉ及びそれに接続されたソース線５２ｉを正電圧に駆動する場合にオンされる。
【００４１】
イコライズスイッチ３４２ｉ−１は、ノードＮ２ｉ−１と接地線３７の間に接続され、イコライズスイッチ３４２ｉは、ノードＮ２ｉと接地線３７の間に接続される。イコライズスイッチ３４２ｉ−１、３４２ｉは、ソース線５２ｉ−１、５２ｉのイコライズを行うためのイコライズ部を構成しており、ソース線５２ｉ−１、５２ｉのイコライズを行う場合にオンされる。なお、本実施形態では、ソース線５２ｉ−１、５２ｉのイコライズを行う場合、ストレートスイッチ３２２ｉ−１、３２２ｉ及び／又はクロススイッチ３３２ｉ−１、３３２ｉもオンされる。
【００４２】
プリチャージスイッチ３５２ｉ−１、３５２ｉと、制御回路３６２ｉ−１、３６２ｉは、ソース線５２ｉ−１、５２ｉをプリチャージするためのプリチャージ部を構成している。
【００４３】
詳細には、プリチャージスイッチ３５２ｉ−１は、ノードＮ２ｉ−１と電圧ＶＣＩが供給されているノードの間に接続され、プリチャージスイッチ３５２ｉは、ノードＮ２ｉと電圧ＶＣＬが供給されているノードの間に接続される。ここで、電圧ＶＣＩは、所定の正電圧であり、電圧ＶＣＬは、所定の負電圧である。プリチャージスイッチ３５２ｉ−１は、ソース線５２ｉ−１、５２ｉのうち正電圧に駆動されるべきソース線を電圧ＶＣＩにプリチャージする場合にオンされ、プリチャージスイッチ３５２ｉは、ソース線５２ｉ−１、５２ｉのうち負電圧に駆動されるべきソース線を電圧ＶＣＬにプリチャージする場合にオンされる。
【００４４】
制御回路３６２ｉ−１は、プリチャージスイッチ３５２ｉ−１を制御し、制御回路３６２ｉは、プリチャージスイッチ３５２ｉを制御する。本実施形態では、制御回路３６２ｉ−１は、制御部１３から供給されるプリチャージ制御信号ＳＰＲＣ＿ＣＴＲＬと、階調電圧Ｖ２ｉ−１に対応する画像データＤ２ｉ−１の最上位ビットＤＭＳＢ（２ｉ−１）に応じてプリチャージスイッチ３５２ｉ−１を制御する。同様に、制御回路３６２ｉは、制御部１３から供給されるプリチャージ制御信号ＳＰＲＣ＿ＣＴＲＬと、階調電圧Ｖ２ｉに対応する画像データＤ２ｉの最上位ビットＤＭＳＢ（２ｉ）に応じてプリチャージスイッチ３５２ｉを制御する。後述されるように、本実施形態では、プリチャージ制御信号ＳＰＲＣ＿ＣＴＲＬが温度センサ２１によって生成される温度データに応じて生成され、これにより、プリチャージの実行、不実行が、温度センサ２１によって測定された温度（測定温度）に応じて制御される。
【００４５】
図５Ａは、本実施形態における液晶表示パネル２の駆動動作の一例を示す概念図である。本実施形態では、液晶表示装置１が低温で動作する場合に、通常動作と異なる駆動動作が行われる。より具体的には、温度センサ２１によって測定された測定温度が所定の閾値温度ＴＴＨよりも高い第１温度範囲にある場合には、通常時駆動動作（第１駆動動作）が行われ、温度センサ２１によって測定された測定温度が所定の閾値温度ＴＴＨよりも低い第２温度範囲にある場合には、低温時駆動動作（第２駆動動作）が行われる。閾値温度ＴＴＨは、レジスタ２２において設定されるプリチャージ制御データにおいて指定されてもよい。
【００４６】
通常時駆動動作においては、画像データに示された階調値に応じてソース線のプリチャージを制御する駆動動作、より具体的には、画像データの最上位ビットの値に応じてプリチャージの実行、不実行を選択する駆動動作が行われる。このような動作は、消費電力の低減に有効である。
【００４７】
一方、低温時駆動動作においては、画像データに示された階調値に依存せずにソース線のプリチャージを制御する駆動動作が行われる。一実施形態では、低温時駆動動作では、画像データに示された階調値に無関係に（画像データの最上位ビットの値に無関係に）プリチャージを行わない駆動動作が行われてもよいし、画像データに示された階調値に無関係に（画像データの最上位ビットの値に無関係に）プリチャージを行う駆動動作が行われてもよい。ソース線のプリチャージの制御を画像データに示された階調値に無関係に行えば、プリチャージの実行、不実行が切り換えられる境界の階調値の間で、当該画素の実際の輝度が大きく変化するという問題は発生しない。例えば、低温時駆動動作において画像データに示された階調値に無関係にプリチャージを実行しないこととすれば、プリチャージの実行、不実行が切り換えられる境界の階調値の間で、画素の実際の輝度が大きく変化するという問題を解消することができる。
【００４８】
低温時駆動動作は、レジスタ２２に設定されるプリチャージ制御データを変更することによって、複数の駆動動作の間で切り換えてもよい。例えば、ホスト４から所望の駆動動作を指定するプリチャージ制御データをレジスタ２２に書き込むことで、低温時駆動動作を変更してもよい。
【００４９】
図５Ａに図示されているような、温度センサ２１によって測定された測定温度が所定の閾値温度ＴＴＨより高いか否かに応じて駆動動作を切り換える場合、温度センサ２１によって測定された測定温度が閾値温度ＴＴＨの近傍である場合に、通常時駆動動作と低温時駆動動作との間の切り換えが頻繁に行われ得る。このような不具合を回避するためには、駆動動作の切り換えにヒステリシス（履歴特性）を持たせてもよい。
【００５０】
図５Ｂは、駆動動作の切り換えにヒステリシスを持たせる場合の液晶表示パネル２の駆動動作の一例を示す概念図である。より具体的には、温度センサ２１によって測定された測定温度が第１閾値温度ＴＴＨ１より高い場合には、通常時駆動動作が行われる。上述のように、通常時駆動動作においては、画像データに示された階調値に応じてソース線のプリチャージを制御する駆動動作、より具体的には、画像データの最上位ビットの値に応じてプリチャージの実行、不実行を選択する駆動動作が行われる。
【００５１】
通常時駆動動作が行われているときに温度センサ２１によって測定された測定温度が第１閾値温度ＴＴＨ１より低い第２閾値温度ＴＴＨ２よりも低くなると、液晶表示パネル２の駆動動作が、低温時駆動動作に切り替えられる。上述のように、低温時駆動動作においては、画像データに示された階調値に依存せずにソース線のプリチャージを制御する駆動動作が行われる。また、低温時駆動動作が行われているときに温度センサ２１によって測定された測定温度が第１閾値温度ＴＴＨ１よりも高くなると、液晶表示パネル２の駆動動作が、通常時駆動動作に切り替えられる。第１閾値温度ＴＴＨ１及び第２閾値温度ＴＴＨ２は、レジスタ２２において設定されるプリチャージ制御データにおいて指定されてもよい。
【００５２】
このような動作では、温度センサ２１によって測定された測定温度が第１閾値温度ＴＴＨ１よりも高い第１温度範囲にある場合には通常時駆動動作が行われ、温度センサ２１によって測定された測定温度が第２閾値温度ＴＴＨ２よりも低い第２温度範囲にある場合には低温時駆動動作が行われる。温度センサ２１によって測定された測定温度が第１閾値温度ＴＴＨ１と第２閾値温度ＴＴＨ２の間である場合には、温度センサ２１によって測定された測定温度の過去の変化に応じて通常時駆動動作又は低温時駆動動作が行われる。
【００５３】
図５Ａ、図５Ｂのいずれの駆動動作においても、第１温度範囲において通常時駆動動作が行われ、第１温度範囲よりも低い第２温度範囲において低温時駆動動作が行われることに留意されたい。
【００５４】
上記のように、本実施形態では、低温時駆動動作において画像データに示された階調値に依存せずにソース線のプリチャージが制御されるが、低温時駆動動作としては様々な駆動動作が行われ得る。以下では、本実施形態の液晶表示パネルの駆動方法の実施例、特に、低温時駆動動作の様々な実施例を説明する。なお、以下の実施例においては、各画素について２５６階調表示が行われるとする。この場合、各画素の画像データは、８ビットであり、画像データに示されている階調値が０〜１２７の場合に最上位ビット（ＭＳＢ：most significant bit）が“０”、１２８〜２５５の場合に最上位ビット“１”に設定されることになる。
【００５５】
（実施例１）
図６Ａ、図６Ｂは、実施例１における、第ｋ水平同期期間におけるソース線の駆動動作の一例を示すタイミングチャートである。なお、図６Ａは、直前の水平同期期間（第ｋ−１水平同期期間）において負電圧に駆動されたソース線を第ｋ水平同期期間において正電圧に駆動する場合の動作を示しており、図６Ｂは、直前の水平同期期間（第ｋ−１水平同期期間）において負電圧に駆動されたソース線を第ｋ水平同期期間において正電圧に駆動する場合の動作を示している。例えば、図４に図示されているソースドライバ回路１７については、第ｋ水平同期期間においてソース線５２ｉ−１が正極性の駆動電圧に駆動され、ソース線５２ｉが負極性の駆動電圧に駆動される場合には、ソース線５２ｉ−１、５２ｉの電圧波形が、それぞれ、図６Ａ、図６Ｂに図示されることになる。また、第ｋ水平同期期間においてソース線５２ｉ−１が負極性の駆動電圧に駆動され、ソース線５２ｉが正極性の駆動電圧に駆動される場合には、ソース線５２ｉ−１、５２ｉの電圧波形が、それぞれ、図６Ｂ、図６Ａに図示されることになる。
【００５６】
温度センサ２１で測定された温度が常温である場合、通常時駆動動作が行われる。詳細には、例えば図５Ａで図示されている駆動動作が行われる場合には、温度センサ２１で測定された温度が閾値温度ＴＴＨよりも高い場合に通常時駆動動作が行われる。一方、図５Ｂで図示されている駆動動作が行われる場合には、液晶表示装置１が、温度センサ２１で測定された温度が第１閾値温度ＴＴＨ１よりも低い状態から第１閾値温度ＴＴＨ１よりも高い状態に遷移した場合、又は、温度センサ２１で測定された温度が常に第１閾値温度ＴＴＨ１よりも高い状態に維持されてきた場合、通常時駆動動作が行われる。
【００５７】
一方、温度センサ２１で測定された温度が低温である場合、低温時駆動動作が行われる。詳細には、例えば図５Ａで図示されている駆動動作が行われる場合には、温度センサ２１で測定された温度が閾値温度ＴＴＨよりも低い場合に低温時駆動動作が行われる。一方、図５Ｂで図示されている駆動動作が行われる場合には、液晶表示装置１が、温度センサ２１で測定された温度が第２閾値温度ＴＴＨ２よりも高い状態から第２閾値温度ＴＴＨ２よりも低い状態に遷移した場合、又は、温度センサ２１で測定された温度が常に第２閾値温度ＴＴＨ２よりも低い状態に維持されてきた場合、低温時駆動動作が行われる。以下では、通常時駆動動作及び低温時駆動動作のそれぞれにおける液晶表示装置１の動作を説明する。
【００５８】
（１）通常時駆動動作が行われる場合
図６Ａ、図６Ｂの左図は、実施例１における、通常時駆動動作が行われる場合の第ｋ水平期間における液晶表示装置１の動作を示すタイミングチャートである。
【００５９】
第ｋ水平同期期間においてソース線５２ｉ−１が正極性の駆動電圧に駆動され、ソース線５２ｉが負極性の駆動電圧に駆動される場合、第ｋ水平同期期間では、ストレートスイッチ３２２ｉ−１、３２２ｉがオンされてソース線５２ｉ−１、５２ｉがノードＮ２ｉ−１、Ｎ２ｉに電気的に接続される。一方、第ｋ水平同期期間においてソース線５２ｉ−１が負極性の駆動電圧に駆動され、ソース線５２ｉが正極性の駆動電圧に駆動される場合、第ｋ水平同期期間では、クロススイッチ３３２ｉ−１、３３２ｉがオンされてソース線５２ｉ−１、５２ｉがノードＮ２ｉ、Ｎ２ｉ−１に電気的に接続される。
【００６０】
通常時駆動動作が行われる場合、図４に図示されているソースドライバ回路１７では、制御部１３によってプリチャージ制御信号ＳＰＲＣ＿ＣＴＲＬがアサートされる。プリチャージ制御信号ＳＰＲＣ＿ＣＴＲＬがアサートされると、制御回路３６２ｉ−１は、画像データＤ２ｉ−１の最上位ビットＤＭＳＢ（２ｉ−１）に応じてプリチャージスイッチ３５２ｉ−１を制御する状態に設定され、制御回路３６２ｉは、画像データＤ２ｉの最上位ビットＤＭＳＢ（２ｉ）に応じてプリチャージスイッチ３５２ｉ−１を制御する状態に設定される。
【００６１】
第ｋ水平同期期間において通常時駆動動作が行われる場合、該第ｋ水平同期期間においてイコライズ期間、プリチャージ期間、駆動期間の３つの期間が設けられる。プリチャージ期間は、イコライズ期間の後に設けられ、駆動期間は、プリチャージ期間の後に設けられる。
【００６２】
イコライズ期間では、ソース線のイコライズが行われる。詳細には、イコライズスイッチ３４２ｉ−１、３４２ｉがオンされてノードＮ２ｉ−１、Ｎ２ｉが接地線３７に電気的に接続され、更に、出力回路３１２ｉ−１、３１２ｉの出力がハイインピーダンス状態（Ｈｉ−Ｚ）に設定される。これにより、ソース線５２ｉ−１、５２ｉが接地線３７に電気的に接続され、ソース線５２ｉ−１、５２ｉが接地電位にイコライズされる。図６Ａ、図６Ｂでは、イコライズ期間においてソース線が接地電位ＧＮＤに設定される場合のソース線の電圧波形を図示している。図６Ａ、図６Ｂにおいて、記号“Ａ”は、ソース線が接地電位ＧＮＤにイコライズされる動作を示している。
【００６３】
イコライズ期間に続くプリチャージ期間においては、画像データに示された階調値に応じて、より具体的には、画像データの最上位ビットの値に応じてプリチャージが行われる。詳細には、プリチャージ期間においては、下記の動作が行われる。
【００６４】
制御回路３６２ｉ−１は、画像データＤ２ｉ−１の最上位ビットが“０”である場合にプリチャージスイッチ３５２ｉ−１をオフし、画像データＤ２ｉ−１の最上位ビットが“１”である場合にプリチャージスイッチ３５２ｉ−１をオンする。これにより、図６Ａに図示されているように、ソース線５２ｉ−１、５２ｉのうち正極性の駆動電圧に駆動されるビット線は、画像データＤ２ｉ−１の最上位ビットが“０”である場合にハイインピーダンス状態に設定され、画像データＤ２ｉ−１の最上位ビットが“１”である場合に電圧ＶＣＩにプリチャージされる。
【００６５】
図６Ａの左上図は、第ｋ水平同期期間において正極性の駆動電圧に駆動されるビット線の、画像データＤ２ｉ−１の階調値が“１２７”である場合の電圧波形を示しており、記号“Ｂ”は、ビット線がハイインピーダンス状態に設定される動作を示している。画像データＤ２ｉ−１の階調値が“１２７”である場合、画像データＤ２ｉ−１の最上位ビットは“０”であり、ソース線５２ｉ−１、５２ｉのうち正極性の駆動電圧に駆動されるビット線は、ハイインピーダンス状態に設定される。
【００６６】
また、図６Ａの左下図は、第ｋ水平同期期間において正極性の駆動電圧に駆動されるビット線の、画像データＤ２ｉ−１の階調値が“１２８”である場合の電圧波形を示しており、記号“Ｃ”は、ビット線がプリチャージされる動作を示している。画像データＤ２ｉ−１の階調値が“１２８”である場合、画像データＤ２ｉ−１の最上位ビットは“１”であり、ソース線５２ｉ−１、５２ｉのうち正極性の駆動電圧に駆動されるビット線は、電圧ＶＣＩにプリチャージされる。
【００６７】
一方、制御回路３６２ｉは、画像データＤ２ｉの最上位ビットが“０”である場合にプリチャージスイッチ３５２ｉをオフし、画像データＤ２ｉ−１の最上位ビットが“１”である場合にプリチャージスイッチ３５２ｉをオンする。これにより、図６Ｂに図示されているように、ソース線５２ｉ−１、５２ｉのうち負極性の駆動電圧に駆動されるビット線は、画像データＤ２ｉの最上位ビットが“０”である場合にハイインピーダンス状態に設定され、画像データＤ２ｉの最上位ビットが“１”である場合に電圧ＶＣＬにプリチャージされる。
【００６８】
図６Ｂの左上図は、第ｋ水平同期期間において負極性の駆動電圧に駆動されるビット線の、画像データＤ２ｉの階調値が“１２７”である場合の電圧波形を示している。この場合、画像データＤ２ｉの最上位ビットは“０”であり、ソース線５２ｉ−１、５２ｉのうち負極性の駆動電圧に駆動されるビット線は、ハイインピーダンス状態に設定される。
【００６９】
また、図６Ｂの左下図は、第ｋ水平同期期間において負極性の駆動電圧に駆動されるビット線の、画像データＤ２ｉの階調値が“１２８”である場合の電圧波形を示している。この場合、画像データＤ２ｉの最上位ビットは“１”であり、ソース線５２ｉ−１、５２ｉのうち負極性の駆動電圧に駆動されるビット線は、電圧ＶＣＬにプリチャージされる。
【００７０】
プリチャージ期間に続く駆動期間では、ソース線が、画像データに示されている階調値に対応する電圧に駆動される。詳細には、ソース線５２ｉ−１、５２ｉのうち、正極性の駆動電圧に駆動されるビット線は、図６Ａに図示されているように、出力回路３１２ｉ−１によって階調電圧Ｖ２ｉ−１に対応する電圧（典型的には、同一の電圧）に駆動され、負極性の駆動電圧に駆動されるビット線は、図６Ｂに図示されているように、出力回路３１２ｉによって階調電圧Ｖ２ｉに対応する電圧（典型的には、同一の電圧）に駆動される。図６Ａでは、階調値“１２７”に対応する正極性の電圧が記号“ＶＰ１２７”として図示されており、階調値“１２８”に対応する正極性の電圧が記号“ＶＰ１２８”として図示されている。また、図６Ｂでは、階調値“１２７”に対応する負極性の電圧が記号“ＶＮ１２７”として図示されており、階調値“１２８”に対応する負極性の電圧が記号“ＶＮ１２８”として図示されている。以上で、第ｋ水平同期期間における駆動動作が完了する。
【００７１】
（２）低温時駆動動作が行われる場合
図６Ａ、図６Ｂの右図は、実施例１における、低温時駆動動作が行われる場合の第ｋ水平期間における液晶表示装置１の動作を示すタイミングチャートである。
【００７２】
実施例１では、低温時駆動動作が行われる場合、画像データに示された階調値に無関係にプリチャージは行われない。画像データに示された階調値に無関係にプリチャージを実行しないこととすれば、上述されているような、プリチャージの実行、不実行が切り換えられる境界の階調値の間で画素の実際の輝度が大きく変化するという問題を有効に解消することができる。
【００７３】
詳細には、低温時駆動動作が行われる場合、制御部１３によってプリチャージ制御信号ＳＰＲＣ＿ＣＴＲＬがネゲートされる。制御回路３６２ｉ−１、３６２ｉは、プリチャージ制御信号ＳＰＲＣ＿ＣＴＲＬのネゲートに応答して、プリチャージスイッチ３５２ｉ−１、３５２ｉをオフする。
【００７４】
低温時駆動動作が行われる場合には、イコライズ期間と駆動期間の間に、プリチャージ期間の代わりにハイインピーダンス期間が設けられる。ハイインピーダンス期間とは、ソース線がハイインピーダンス状態に設定される期間である。ハイインピーダンス期間においては、画像データに示された階調値に無関係に、プリチャージスイッチ３５２ｉ−１、３５２ｉがオフされ、更に、出力回路３１２ｉ−１、３１２ｉの出力がハイインピーダンス状態に設定される。これにより、ソース線５２ｉ−１、５２ｉが、いずれも、ハイインピーダンス状態になる。図６Ａ、図６Ｂの右図において、ビット線がハイインピーダンス状態に設定される動作は、記号“Ｂ”で示されている。ソース線５２ｉ−１、５２ｉが、ハイインピーダンス状態に設定される場合には、基本的には、ソース線５２ｉ−１、５２ｉの電圧は変化せず、そのままに維持される。
【００７５】
低温時駆動動作におけるイコライズ期間と駆動期間における動作は、それぞれ、通常時駆動動作におけるイコライズ期間と駆動期間における動作と同一である。ハイインピーダンス期間の後の駆動期間にソース線が画像データに示されている階調値に対応する電圧に駆動され、第ｋ水平同期期間における駆動動作が完了する。
【００７６】
以上に説明されているように、実施例１では、低温時駆動動作が行われる場合、画像データに示された階調値に無関係に、プリチャージが実行されない。これにより、プリチャージの実行、不実行が切り換えられる境界の階調値の間で画素の実際の輝度が大きく変化するという問題を有効に解消することができる。
【００７７】
（実施例２）
図７Ａ、図７Ｂは、実施例２における、第ｋ水平同期期間におけるソース線の駆動動作の一例を示すタイミングチャートである。なお、図７Ａは、直前の水平同期期間（第ｋ−１水平同期期間）において負電圧に駆動されたソース線を第ｋ水平同期期間において正電圧に駆動する場合の動作を示しており、図７Ｂは、直前の水平同期期間（第ｋ−１水平同期期間）において負電圧に駆動されたソース線を第ｋ水平同期期間において正電圧に駆動する場合の動作を示している。
【００７８】
実施例２においても、温度センサ２１で測定された温度に応じた通常時駆動動作、低温時駆動動作の選択は、実施例１と同様にして行われる。また、実施例２の通常時駆動動作における液晶表示パネル２の駆動動作は、実施例１と同様である。
【００７９】
ただし、実施例２では、低温時駆動動作において画像データに示された階調値に無関係にプリチャージが実行される点において、実施例１と相違している。図７Ａ、図７Ｂの右図は、実施例２における、低温時駆動動作を図示している。画像データに示された階調値に無関係にプリチャージを実行する場合にも、上述されているような、プリチャージの実行、不実行が切り換えられる境界の階調値の間で画素の実際の輝度が大きく変化するという問題を有効に解消することができる。
【００８０】
以下では、実施例２における低温時駆動動作について詳細に説明する。低温時駆動動作が行われる場合、制御部１３によってプリチャージ制御信号ＳＰＲＣ＿ＣＴＲＬがネゲートされる。制御回路３６２ｉ−１、３６２ｉは、プリチャージ制御信号ＳＰＲＣ＿ＣＴＲＬのネゲートに応答して、プリチャージ期間においてプリチャージスイッチ３５２ｉ−１、３５２ｉをオンする状態に設定される。
【００８１】
第ｋ水平同期期間において低温時駆動動作が行われる場合、該第ｋ水平同期期間においてイコライズ期間、プリチャージ期間、駆動期間の３つの期間が設けられる。プリチャージ期間は、イコライズ期間の後に設けられ、駆動期間は、プリチャージ期間の後に設けられる。
【００８２】
イコライズ期間では、ソース線のイコライズが行われる。詳細には、イコライズスイッチ３４２ｉ−１、３４２ｉがオンされてノードＮ２ｉ−１、Ｎ２ｉが接地線３７に電気的に接続され、更に、出力回路３１２ｉ−１、３１２ｉの出力がハイインピーダンス状態（Ｈｉ−Ｚ）に設定される。これにより、ソース線５２ｉ−１、５２ｉが接地線３７に電気的に接続され、ソース線５２ｉ−１、５２ｉが接地電位にイコライズされる。図７Ａ、図７Ｂにおいて、記号“Ａ”は、ソース線が接地電位ＧＮＤにイコライズされる動作を示している。
【００８３】
イコライズ期間に続くプリチャージ期間においては、画像データに示された階調値に無関係にプリチャージが行われる。詳細には、プリチャージ期間においては、下記の動作が行われる。
【００８４】
プリチャージ制御信号ＳＰＲＣ＿ＣＴＲＬのネゲートに応答して、制御回路３６２ｉ−１、３６２ｉは、それぞれ、プリチャージスイッチ３５２ｉ−１、３５２ｉをオンする。これにより、図７Ａの右図に図示されているように、ソース線５２ｉ−１、５２ｉのうち正極性の駆動電圧に駆動されるビット線は電圧ＶＣＩにプリチャージされ、また、図７Ｂに図示されているように、ソース線５２ｉ−１、５２ｉのうち負極性の駆動電圧に駆動されるビット線は、電圧ＶＣＬにプリチャージされる。
【００８５】
プリチャージ期間に続く駆動期間では、ソース線が、画像データに示されている階調値に対応する電圧に駆動される。詳細には、ソース線５２ｉ−１、５２ｉのうち正極性の駆動電圧に駆動されるビット線は、図７Ａに図示されているように、出力回路３１２ｉ−１によって階調電圧Ｖ２ｉ−１に対応する電圧（典型的には、同一の電圧）に駆動され、負極性の駆動電圧に駆動されるビット線は、図７Ｂに図示されているように、出力回路３１２ｉにより、階調電圧Ｖ２ｉに対応する電圧（典型的には、同一の電圧）に駆動される。以上で、第ｋ水平同期期間における駆動動作が完了する。
【００８６】
以上に説明されているように、実施例２では、低温時駆動動作が行われる場合、画像データに示された階調値に無関係にプリチャージが実行される。これにより、プリチャージの実行、不実行が切り換えられる境界の階調値の間で画素の実際の輝度が大きく変化するという問題を有効に解消することができる。
【００８７】
（実施例３）
図８Ａ、図８Ｂは、実施例３における、第ｋ水平同期期間におけるソース線の駆動動作の一例を示すタイミングチャートである。なお、図８Ａは、直前の水平同期期間（第ｋ−１水平同期期間）において負電圧に駆動されたソース線を第ｋ水平同期期間において正電圧に駆動する場合の動作を示しており、図８Ｂは、直前の水平同期期間（第ｋ−１水平同期期間）において負電圧に駆動されたソース線を第ｋ水平同期期間において正電圧に駆動する場合の動作を示している。
【００８８】
実施例３においても、温度センサ２１で測定された温度に応じた通常時駆動動作、低温時駆動動作の選択は、実施例１と同様にして行われる。また、実施例３の通常時駆動動作における液晶表示パネル２の駆動動作は、実施例１と同様である。
【００８９】
実施例３においても、実施例１と同様に、低温時駆動動作においては、画像データに示された階調値に無関係にプリチャージが実行されない。ただし、実施例３では、ハイインピーダンス期間が設けられず、通常時駆動動作におけるプリチャージ期間に相当する期間に、画像データに示された階調値に対応する電圧を先行して出力する先行出力動作を行う。先行出力動作が行われる期間を、以下では、先行出力期間という。図８Ａ、図８Ｂでは、先行出力動作が、記号“Ｄ”で示されている。実施例３の動作によっても、プリチャージの実行、不実行が切り換えられる境界の階調値の間で画素の実際の輝度が大きく変化するという問題を有効に解消することができる。また、実施例３の動作では、液晶表示装置１が低温で動作する場合においてソース線が階調値に対応する電圧に維持される期間が長くなり、これは、低温において液晶表示パネル２の反応速度が低下しても、液晶表示パネル２の各画素の実際の輝度を所望の輝度に近づけるために有用である。
【００９０】
以下では、実施例３における低温時駆動動作について詳細に説明する。
低温時駆動動作が行われる場合、制御部１３によってプリチャージ制御信号ＳＰＲＣ＿ＣＴＲＬがネゲートされる。制御回路３６２ｉ−１、３６２ｉは、プリチャージ制御信号ＳＰＲＣ＿ＣＴＲＬのネゲートに応答して、プリチャージスイッチ３５２ｉ−１、３５２ｉをオフする。
【００９１】
第ｋ水平同期期間において低温時駆動動作が行われる場合、該第ｋ水平同期期間においてイコライズ期間、先行出力期間、駆動期間の３つの期間が設けられる。先行出力期間は、イコライズ期間の後に設けられ、駆動期間は、先行出力期間の後に設けられる。先行出力期間は、通常時駆動動作におけるプリチャージ期間に相当する期間である。
【００９２】
イコライズ期間では、ソース線のイコライズが行われる。詳細には、イコライズスイッチ３４２ｉ−１、３４２ｉがオンされてノードＮ２ｉ−１、Ｎ２ｉが接地線３７に電気的に接続され、更に、出力回路３１２ｉ−１、３１２ｉの出力がハイインピーダンス状態（Ｈｉ−Ｚ）に設定される。これにより、ソース線５２ｉ−１、５２ｉが接地線３７に電気的に接続され、ソース線５２ｉ−１、５２ｉが接地電位にイコライズされる。図８Ａ、図８Ｂにおいて、記号“Ａ”は、ソース線が接地電位ＧＮＤにイコライズされる動作を示している。
【００９３】
イコライズ期間に続く先行出力期間においては、ソース線が、画像データに示されている階調値に対応する電圧に駆動される。詳細には、ソース線５２ｉ−１、５２ｉのうち正極性の駆動電圧に駆動されるビット線は、図８Ａに図示されているように、出力回路３１２ｉ−１によって階調電圧Ｖ２ｉ−１に対応する電圧（典型的には、同一の電圧）に駆動され、負極性の駆動電圧に駆動されるビット線は、図８Ｂに図示されているように、出力回路３１２ｉにより、階調電圧Ｖ２ｉに対応する電圧（典型的には、同一の電圧）に駆動される。
【００９４】
駆動期間においても、ソース線が、画像データに示されている階調値に対応する電圧に駆動される動作が継続される。各ソース線は、対応する画像データに示されている階調値に対応する電圧に維持される。以上で、第ｋ水平同期期間における駆動動作が完了する。
【００９５】
以上に説明されているように、実施例３においては、低温時駆動動作が行われる場合、画像データに示された階調値に無関係にプリチャージが実行されない。これにより、プリチャージの実行、不実行が切り換えられる境界の階調値の間で画素の実際の輝度が大きく変化するという問題を有効に解消することができる。
【００９６】
また、実施例３では、低温時駆動動作が行われる場合、通常時駆動動作におけるプリチャージ期間に相当する期間において、画像データに示されている階調値に対応する電圧の出力が先行して開始されるので、低温における液晶表示パネル２の反応速度の低下にも有効に対応することができる。
【００９７】
（実施例４）
図９Ａ、図９Ｂは、実施例４における、第ｋ水平同期期間におけるソース線の駆動動作の一例を示すタイミングチャートである。なお、図９Ａは、直前の水平同期期間（第ｋ−１水平同期期間）において負電圧に駆動されたソース線を第ｋ水平同期期間において正電圧に駆動する場合の動作を示しており、図９Ｂは、直前の水平同期期間（第ｋ−１水平同期期間）において負電圧に駆動されたソース線を第ｋ水平同期期間において正電圧に駆動する場合の動作を示している。
【００９８】
実施例４においても、温度センサ２１で測定された温度に応じた通常時駆動動作、低温時駆動動作の選択は、実施例１と同様にして行われる。また、実施例３の通常時駆動動作における液晶表示パネル２の駆動動作は、実施例１と同様である。
【００９９】
ただし、実施例４では、低温時駆動動作において、画像データに示された階調値に応じて、プリチャージと先行出力動作のいずれを行うかが選択される。上述されているように、先行出力動作とは、通常時駆動動作におけるプリチャージ期間に相当する期間において、画像データに示された階調値に対応する電圧を先行して出力する動作である。図９Ａ、図９Ｂでは、階調値に対応する電圧を先行して出力する動作が、記号“Ｄ”で示されている。プリチャージの実行、不実行が切り換えられる境界の階調値においては、プリチャージを行う場合のソース線の電圧波形は、先行出力動作を行う場合のソース線の電圧波形と同一ではないが類似している。したがって、このような実施例４の動作によっても、プリチャージの実行、不実行が切り換えられる境界の階調値の間の画素の実際の輝度が大きく変化するという問題を軽減することができる。
【０１００】
以下では、実施例４における低温時駆動動作について詳細に説明する。
実施例４においては、低温時駆動動作が行われる場合でも、制御部１３によってプリチャージ制御信号ＳＰＲＣ＿ＣＴＲＬがアサートされる。プリチャージ制御信号ＳＰＲＣ＿ＣＴＲＬがアサートされると、制御回路３６２ｉ−１は、画像データＤ２ｉ−１の最上位ビットＤＭＳＢ（２ｉ−１）に応じてプリチャージスイッチ３５２ｉ−１を制御する状態に設定され、制御回路３６２ｉは、画像データＤ２ｉの最上位ビットＤＭＳＢ（２ｉ）に応じてプリチャージスイッチ３５２ｉ−１を制御する状態に設定される。
【０１０１】
第ｋ水平同期期間において低温時駆動動作が行われる場合、該第ｋ水平同期期間においてイコライズ期間、プリチャージ期間、駆動期間の３つの期間が設けられる。プリチャージ期間は、イコライズ期間の後に設けられ、駆動期間は、プリチャージ期間の後に設けられる。
【０１０２】
イコライズ期間では、ソース線のイコライズが行われる。詳細には、イコライズスイッチ３４２ｉ−１、３４２ｉがオンされてノードＮ２ｉ−１、Ｎ２ｉが接地線３７に電気的に接続され、更に、出力回路３１２ｉ−１、３１２ｉの出力がハイインピーダンス状態（Ｈｉ−Ｚ）に設定される。これにより、ソース線５２ｉ−１、５２ｉが接地線３７に電気的に接続され、ソース線５２ｉ−１、５２ｉが接地電位にイコライズされる。図８Ａ、図８Ｂにおいて、記号“Ａ”は、ソース線が接地電位ＧＮＤにイコライズされる動作を示している。
【０１０３】
イコライズ期間に続くプリチャージ期間においては、画像データに示された階調値に応じて、より具体的には、画像データの最上位ビットの値に応じて、プリチャージ又は先行出力動作のいずれかが行われる。詳細には、プリチャージ期間においては、下記の動作が行われる。
【０１０４】
制御回路３６２ｉ−１は、画像データＤ２ｉ−１の最上位ビットが“０”である場合にプリチャージスイッチ３５２ｉ−１をオフし、画像データＤ２ｉ−１の最上位ビットが“１”である場合にプリチャージスイッチ３５２ｉ−１をオンする。また、出力回路３１２ｉ−１は、画像データＤ２ｉ−１の最上位ビットが“０”である場合に階調電圧Ｖ２ｉ−１に対応する電圧（典型的には同一の電圧）を出力し、画像データＤ２ｉ−１の最上位ビットが“１”である場合にその出力をハイインピーダンス状態に設定する。
【０１０５】
これにより、図６Ａに図示されているように、ソース線５２ｉ−１、５２ｉのうち正極性の駆動電圧に駆動されるビット線は、画像データＤ２ｉ−１の最上位ビットが“０”である場合に画像データＤ２ｉ−１に示されている階調値に対応する電圧に駆動され、画像データＤ２ｉ−１の最上位ビットが“１”である場合に電圧ＶＣＩにプリチャージされる。
【０１０６】
図９Ａの右上図は、第ｋ水平同期期間において正極性の駆動電圧に駆動されるビット線の、画像データＤ２ｉ−１の階調値が“１２７”である場合の電圧波形を示している。図９Ａの記号“Ｄ”は、先行出力動作を示している。画像データＤ２ｉ−１の階調値が“１２７”である場合、画像データＤ２ｉ−１の最上位ビットは“０”であり、ソース線５２ｉ−１、５２ｉのうち正極性の駆動電圧に駆動されるビット線は、画像データＤ２ｉ−１に示されている階調値に対応する電圧ＶＰ１２７に駆動される。
【０１０７】
また、図９Ａの右下図は、第ｋ水平同期期間において正極性の駆動電圧に駆動されるビット線の、画像データＤ２ｉ−１の階調値が“１２８”である場合の電圧波形を示している。図９Ａの記号“Ｃ”は、ビット線がプリチャージされる動作を示している。画像データＤ２ｉ−１の階調値が“１２８”である場合、画像データＤ２ｉ−１の最上位ビットは“１”であり、ソース線５２ｉ−１、５２ｉのうち正極性の駆動電圧に駆動されるビット線は、電圧ＶＣＩにプリチャージされる。
【０１０８】
一方、制御回路３６２ｉは、画像データＤ２ｉの最上位ビットが“０”である場合にプリチャージスイッチ３５２ｉをオフし、画像データＤ２ｉ−１の最上位ビットが“１”である場合にプリチャージスイッチ３５２ｉをオンする。また、出力回路３１２ｉは、画像データＤ２ｉの最上位ビットが“０”である場合に階調電圧Ｖ２ｉに対応する電圧（典型的には同一の電圧）を出力し、画像データＤ２ｉの最上位ビットが“１”である場合にその出力をハイインピーダンス状態に設定する。
【０１０９】
これにより、図９Ｂに図示されているように、ソース線５２ｉ−１、５２ｉのうち負極性の駆動電圧に駆動されるビット線は、画像データＤ２ｉの最上位ビットが“０”である場合に画像データＤ２ｉに示されている階調値に対応する電圧に駆動され、画像データＤ２ｉの最上位ビットが“１”である場合に電圧ＶＣＬにプリチャージされる。
【０１１０】
図９Ｂの右上図は、第ｋ水平同期期間において負極性の駆動電圧に駆動されるビット線の、画像データＤ２ｉの階調値が“１２７”である場合の電圧波形を示している。画像データＤ２ｉの階調値が“１２７”である場合、画像データＤ２ｉの最上位ビットは“０”であり、ソース線５２ｉ−１、５２ｉのうち負極性の駆動電圧に駆動されるビット線は、画像データＤ２ｉ−１に示されている階調値に対応する電圧ＶＮ１２７に駆動される。
【０１１１】
また、図６Ｂの右下図は、第ｋ水平同期期間において負極性の駆動電圧に駆動されるビット線の、画像データＤ２ｉの階調値が“１２８”である場合の電圧波形を示している。この場合、画像データＤ２ｉの最上位ビットは“１”であり、ソース線５２ｉ−１、５２ｉのうち負極性の駆動電圧に駆動されるビット線は、電圧ＶＣＬにプリチャージされる。
【０１１２】
プリチャージ期間に続く駆動期間では、ソース線が、画像データに示されている階調値に対応する電圧に駆動される。詳細には、ソース線５２ｉ−１、５２ｉのうち、正極性の駆動電圧に駆動されるビット線は、図９Ａに図示されているように、出力回路３１２ｉ−１によって階調電圧Ｖ２ｉ−１に対応する電圧（典型的には、同一の電圧）に駆動され、負極性の駆動電圧に駆動されるビット線は、図９Ｂに図示されているように、出力回路３１２ｉによって階調電圧Ｖ２ｉに対応する電圧（典型的には、同一の電圧）に駆動される。以上で、第ｋ水平同期期間における駆動動作が完了する。
【０１１３】
以上に説明されているように、実施例４における低温時駆動動作では、画像データに示された階調値、より具体的には、画像データの最上位ビットの値に応じて、プリチャージ又は先行出力動作のいずれかが選択的に行われる。これにより、プリチャージの実行、不実行が切り換えられる境界の階調値の間で画素の実際の輝度が大きく変化するという問題を軽減することができる。
【０１１４】
上記の実施形態では、温度センサ２１が表示ドライバ３に設けられている構成が図示されているが、温度センサ２１は、液晶表示装置１の適宜の場所に設けられ得る。例えば、温度センサ２１が液晶表示パネル２に接合されていてもよい。この場合でも、プリチャージの実行／不実行は、温度センサ２１によって測定された測定温度に応じて選択される。
【０１１５】
以上には、本発明の実施形態が具体的に記述されているが、本発明は、上記の実施形態に限定されると解釈してはならない。本発明が様々な変更と共に実施され得ることは、当業者には自明的であろう。
【符号の説明】
【０１１６】
１        ：液晶表示装置
２        ：液晶表示パネル
３        ：表示ドライバ
４        ：ホスト
５２ｉ−１、５２ｉ：ソース線
１１      ：画像データインターフェース
１２      ：制御信号インターフェース
１３      ：制御部
１４      ：メモリ
１５      ：データラッチ
１６      ：階調電圧選択回路
１７      ：ソースドライバ回路
１８      ：ゲート制御ドライバ
１９      ：電源回路
２１      ：温度センサ
２２      ：レジスタ
３１２ｉ−１、３１２ｉ：出力回路
３２２ｉ−１、３２２ｉ：ストレートスイッチ
３３２ｉ−１、３３２ｉ：クロススイッチ
３４２ｉ−１、３４２ｉ：イコライズスイッチ
３５２ｉ−１、３５２ｉ：プリチャージスイッチ
３６２ｉ−１、３６２ｉ：制御回路
３７      ：接地線
【図１】
0006552086.tif 000002
【図２】
0006552086.tif 000003
【図３】
0006552086.tif 000004
【図４】
0006552086.tif 000005
【図５Ａ】
0006552086.tif 000006
【図５Ｂ】
0006552086.tif 000007
【図６Ａ】
0006552086.tif 000008
【図６Ｂ】
0006552086.tif 000009
【図７Ａ】
0006552086.tif 000010
【図７Ｂ】
0006552086.tif 000011
【図８Ａ】
0006552086.tif 000012
【図８Ｂ】
0006552086.tif 000013
【図９Ａ】
0006552086.tif 000014
【図９Ｂ】
0006552086.tif 000015